(57)【要約】【課題】ＭＩＣＲ情報の読み取りに係る精度を向上するとともに、記録媒体の処理に要する時間を短縮することが可能な記録装置、及び、記録装置の制御方法を提供する。【解決手段】ドットインパクトプリンター１０には、記録媒体Ｓの搬送路Ｐに、記録媒体Ｓに記録されたＭＩＣＲ情報を磁気的に読み取る磁気ヘッド３４と、磁気ヘッド３４とは異なる他のキャリッジに搭載され、記録媒体Ｓに画像を記録する記録ヘッド１８と、記録媒体Ｓに記録されたＭＩＣＲ情報を光学的に読み取る裏面スキャナー１１２と、が並べて配置され、磁気ヘッド３４によるＭＩＣＲ情報の読み取りに成功しなかった場合に、記録媒体Ｓを裏面スキャナー１１２まで搬送して裏面スキャナー１１２によってＭＩＣＲ情報の読み取りを行い、これらの読み取り結果を照合して、ＭＩＣＲ情報を識別する。【選択図】図５
2010188533.tif 000002
【特許請求の範囲】
【請求項１】
記録媒体を搬送して画像を記録する記録装置において、
前記記録媒体の搬送路に、キャリッジに搭載され、前記記録媒体に記録されたＭＩＣＲ情報を磁気的に読み取る磁気読取部と、前記磁気読取部とは異なる他のキャリッジに搭載され、前記記録媒体に画像を記録する記録ヘッドと、前記記録媒体に記録されたＭＩＣＲ情報を光学的に読み取る光学読取部と、が並べて配置され、
前記磁気読取部による前記ＭＩＣＲ情報の読み取りに成功しなかった場合に、前記記録媒体を前記光学読取部まで搬送して前記光学読取部によって前記ＭＩＣＲ情報の読み取りを行い、前記磁気読取部による読み取り結果と前記光学読取部による読み取り結果とを照合して、前記ＭＩＣＲ情報を識別する制御部を備えたこと、
を特徴とする記録装置。
【請求項２】
請求項１記載の記録装置において、
前記制御部は、前記記録媒体が、前記ＭＩＣＲ情報が記録された帳票であるか、磁気情報の記録が可能な磁気テープを有する他種の記録媒体であるかを判別し、前記他種の記録媒体であると判別した場合には、この記録媒体が有する磁気記録部に対する読み取りまたは書き込みを前記磁気読取部によって行うことを、特徴とする記録装置。
【請求項３】
請求項２記載の記録装置において、
外部接続されたホストコンピューターとの間で通信可能に構成され、
前記制御部は、前記記録媒体が前記ＭＩＣＲ情報が記録された帳票であるか、前記他種の記録媒体であるかを、前記ホストコンピューターから送信される情報に基づいて判別すること、を特徴とする記録装置。
【請求項４】
請求項２記載の記録装置において、
前記記録媒体の端位置を検出する検出手段をさらに備え、
前記制御部は、前記検出手段により検出された端位置に基づいて、前記光学読取部によって読み取りを行う範囲を決定すること、を特徴とする記録装置。
【請求項５】
記録媒体の搬送路に、キャリッジに搭載され、前記記録媒体に記録されたＭＩＣＲ情報を磁気的に読み取る磁気読取部と、前記磁気読取部とは異なる他のキャリッジに搭載され、前記記録媒体に画像を記録する記録ヘッドと、前記記録媒体に記録されたＭＩＣＲ情報を光学的に読み取る光学読取部と、が並べて配置された構成を有する記録装置を制御して、
前記磁気読取部によって前記ＭＩＣＲ情報の読み取りを行うステップと、
前記磁気読取部による前記ＭＩＣＲ情報の読み取りに成功しなかった場合に、前記記録媒体を前記光学読取部まで搬送して前記光学読取部によって前記ＭＩＣＲ情報の読み取りを行うステップと、
前記磁気読取部による読み取り結果と前記光学読取部による読み取り結果とを照合して、前記ＭＩＣＲ情報を識別するステップと、
を含むことを特徴とする記録装置の制御方法。
【請求項６】
記録媒体に記録されたＭＩＣＲ情報を磁気的に読み取るステップと、
前記ＭＩＣＲ情報の読み取りに成功しなかった場合に、前記記録媒体をさらに搬送して前記記録媒体に記録されたＭＩＣＲ情報を光学的に読み取るステップと、
磁気的な読み取りの結果と光学的な読み取りの結果とを照合して、前記ＭＩＣＲ情報を識別するステップと、
を含むことを特徴とする記録装置の制御方法。
【発明の詳細な説明】
【技術分野】
【０００１】
本発明は、記録媒体を搬送して画像を記録する記録装置、及び、記録装置の制御方法に関する。
【背景技術】
【０００２】
従来、磁気インクによって小切手等の記録媒体に記録されたＭＩＣＲ情報を読み取る装置が知られている。このような装置の中には、ＭＩＣＲ情報を磁気的に読み取った結果と、光学的に読み取った結果とを合わせてＭＩＣＲ情報を判別することで、識別精度の向上を図ったものがある（例えば、特許文献１参照）。
【特許文献１】特開平５−２５８１００号公報
【発明の開示】
【発明が解決しようとする課題】
【０００３】
ところで、ＭＩＣＲ情報を磁気的に読み取る読取部と、光学的な読み取りを行う読取部とを一つの装置に設けた場合、記録媒体を２つの読取部に搬送しなければならないため、一つの記録媒体の処理に要する時間が長くなるという問題があった。また、処理時間の短縮を図るために、例えば２つの読取部を一度に通過する搬送路を構成した場合、ＭＩＣＲ情報の磁気的な読み取りと光学的な読み取りとの回数を独立して変更することができないし、いったんＭＩＣＲ情報の判別に成功して印刷した小切手をもう一度光学的に読み取ることもできない。また、例えば冊子形態の記録媒体のように、小切手等の帳票以外の記録媒体に対応する事が難しいという問題点がある。
そこで、本発明の目的は、上述した従来の技術が有する課題を解消し、ＭＩＣＲ情報の読み取りに係る精度を向上するとともに、記録媒体の処理に要する時間を短縮することが可能な記録装置、及び、記録装置の制御方法を提供することにある。
【課題を解決するための手段】
【０００４】
上記目的を達成するために、本発明は、記録媒体を搬送して画像を記録する記録装置において、記録媒体の搬送路に、キャリッジに搭載され、記録媒体に記録されたＭＩＣＲ情報を磁気的に読み取る磁気読取部と、磁気読取部とは異なる他のキャリッジに搭載され、記録媒体に画像を記録する記録ヘッドと、記録媒体に記録されたＭＩＣＲ情報を光学的に読み取る光学読取部と、が並べて配置され、磁気読取部によるＭＩＣＲ情報の読み取りに成功しなかった場合に、記録媒体を光学読取部まで搬送して光学読取部によってＭＩＣＲ情報の読み取りを行い、磁気読取部による読み取り結果と光学読取部による読み取り結果とを照合して、ＭＩＣＲ情報を識別する制御部を備えたこと、を特徴とする記録装置を提供する。
この構成によれば、記録媒体に記録されたＭＩＣＲ情報を磁気的に読み取った結果と光学的に読み取った結果と照合することで、判別が困難なＭＩＣＲ情報を高精度で識別する記録装置が、ＭＩＣＲ情報の磁気的な読み取りに成功しなかった場合に光学読取部まで記録媒体を搬送する。これにより、ＭＩＣＲ情報の磁気的な読み取りに成功した場合は記録媒体を光学読取部まで搬送しないことで、無駄な搬送動作を省き、ＭＩＣＲ情報の読み取りの精度を高めるとともに、処理速度の向上を図ることができる。さらに、記録媒体の搬送路に、キャリッジに搭載された磁気読取部と、磁気読取部とは異なる他のキャリッジに搭載された記録ヘッドと、光学読取部とが並べて配置された構成としたので、磁気読取部及び記録ヘッドがキャリッジにより独立して移動可能であるため、冊子形態や帳票形態など様々な形態の記録媒体に対して磁気的な読み取りと画像の記録を行うことができ、一つの装置により多様な記録媒体に対応可能な構成を実現できる。
【０００５】
また、上記構成において、制御部は、記録媒体が、ＭＩＣＲ情報が記録された帳票であるか、磁気情報の記録が可能な磁気記録部を有する他種の記録媒体であるかを判別し、他種の記録媒体であると判別した場合には、この記録媒体が有する磁気記録部に対する読み取りまたは書き込みを磁気読取部によって行ってもよい。
この構成によれば、ＭＩＣＲ情報が記録された帳票に加えて、磁気情報の記録が可能な磁気記録部を有する他種の記録媒体を処理し、高精度かつ高速でＭＩＣＲ情報を読み取るとともに、磁気記録部への磁気情報の読み取りまたは書き込みを行うことができる。これにより、ＭＩＣＲ情報の処理に優れた上、多様な記録媒体に対応可能な記録装置を実現できる。
【０００６】
また、上記構成において、外部接続されたホストコンピューターとの間で通信可能に構成され、制御部は、記録媒体がＭＩＣＲ情報が記録された帳票であるか、他種の記録媒体であるかを、ホストコンピューターから送信される情報に基づいて判別してもよい。
この構成によれば、ホストコンピューターからの情報に基づいて、ＭＩＣＲ情報が記録された帳票であるか、他種の記録媒体であるかを正確に判別できる。また、事前にホストコンピューターから情報を受信しておき、いずれかに対応する処理の準備を行うことにより、処理を迅速に行うことができる。
【０００７】
また、上記構成において、前記記録媒体の端位置を検出する検出手段をさらに備え、前記制御部は、前記検出手段により検出された端位置に基づいて、前記光学読取部によって読み取りを行う範囲を決定してもよい。
この構成によれば、記録媒体の端位置に基づいて、光学読取部によって読み取りを行う範囲を決定するので、余分な領域を読み取ることがなく、処理のさらなる高速化を図ることができる。
【０００８】
また、本発明は、記録媒体の搬送路に、キャリッジに搭載され、記録媒体に記録されたＭＩＣＲ情報を磁気的に読み取る磁気読取部と、磁気読取部とは異なる他のキャリッジに搭載され、記録媒体に画像を記録する記録ヘッドと、記録媒体に記録されたＭＩＣＲ情報を光学的に読み取る光学読取部と、が並べて配置された構成を有する記録装置を制御して、磁気読取部によってＭＩＣＲ情報の読み取りを行うステップと、磁気読取部によるＭＩＣＲ情報の読み取りに成功しなかった場合に、記録媒体を光学読取部まで搬送して光学読取部によってＭＩＣＲ情報の読み取りを行うステップと、磁気読取部による読み取り結果と光学読取部による読み取り結果とを照合して、ＭＩＣＲ情報を識別するステップと、を含むことを特徴とする記録装置の制御方法を提供する。
この方法によれば、ＭＩＣＲ情報の磁気的な読み取りに成功した場合は記録媒体を光学読取部まで搬送しないことで、無駄な搬送動作を省き、ＭＩＣＲ情報の読み取りの精度を高めるとともに、処理速度の向上を図ることができる。
【０００９】
さらに、本発明は、記録媒体に記録されたＭＩＣＲ情報を磁気的に読み取るステップと、ＭＩＣＲ情報の読み取りに成功しなかった場合に、記録媒体をさらに搬送して記録媒体に記録されたＭＩＣＲ情報を光学的に読み取るステップと、磁気的な読み取りの結果と光学的な読み取りの結果とを照合して、ＭＩＣＲ情報を識別するステップと、を含むことを特徴とする記録装置の制御方法を提供する。
この場合、ＭＩＣＲ情報の磁気的な読み取りに成功した場合は記録媒体を光学読取部まで搬送しないことで、無駄な搬送動作を省き、ＭＩＣＲ情報の読み取りの精度を高めるとともに、処理速度の向上を図ることができる。
【発明の効果】
【００１０】
本発明によれば、ＭＩＣＲ情報の読み取りの精度を高めるとともに、処理速度の向上を図ることができる。
【発明を実施するための最良の形態】
【００１１】
以下、本発明の実施形態について図面を参照して説明する。
図１は、本実施形態に係る記録装置としてのドットインパクトプリンターの外観を示す正面斜視図である。図２は、プリンター本体１１を示す外観斜視図である。図３は、図１のドットインパクトプリンター１０を示す側断面図である。
図１に示す記録装置としてのドットインパクトプリンター１０は、記録ヘッド１８（図２、図３参照）が備える複数の記録ワイヤーを、リボンカートリッジ（図示略）から繰り出したインクリボン（図示略）を介して記録媒体Ｓに押し付け、この記録媒体Ｓの記録面上にドットを形成することにより、文字を含む画像を記録するものである。
【００１２】
ドットインパクトプリンター１０で使用可能な記録媒体Ｓとしては、所定長さに切断されたカット媒体と、複数枚が連接された連続紙とがある。カット媒体としては、例えば単票紙や単票複写紙などの他、通帳や葉書、封筒などがあり、連続紙には連続複写紙を含む。
本実施形態では、ドットインパクトプリンター１０によって図１に示す記録媒体Ｓに画像を記録する場合を例に挙げて説明する。記録媒体Ｓは、金融機関等が発行する小切手または手形（以下、総称して小切手という）である。この小切手は、磁気インクによってＭＩＣＲ（Ｍａｇｎｅｔｉｃ  Ｉｎｋ  Ｃｈａｒａｃｔｅｒ  Ｒｅｃｏｇｎｉｔｉｏｎ）情報ＭＳが一部に印刷された単票紙である。
また、ドットインパクトプリンター１０では、記録媒体Ｓとして、小切手だけではなく通帳も用いることができる。ここでいう通帳とは、複数枚の記録用紙が綴じられた冊子形態となっており、この冊子を開いた内側の面が記録面となっている。さらに、通帳の裏表紙に相当する面の後部には、磁気ストライプが設けられている。この磁気ストライプには磁気的に各種情報を記録し、読み取ることが可能であり、通常、記録された情報は、目視による判別を含む光学的な判別はできない。
なお、以下の説明において、記録媒体Ｓの４辺のうち、ドットインパクトプリンター１０へ向かって差し込まれる側の辺を先端とし、この先端と対向する側の辺を後端とする。
【００１３】
ドットインパクトプリンター１０は、図１に示すように、外装体としての上部カバー１２、上部ケース１３及び下部ケース１４を備えており、上部ケース１３及び下部ケース１４の前面には、記録媒体Ｓを挿入あるいは排出する手差口１５が開口している。この手差口１５が開口した側、すなわち図３中の左側をフロント（前）側とし、図３中の右側をリア（後）側とする。
ドットインパクトプリンター１０は、図２に示すように、上部カバー１２、上部ケース１３及び下部ケース１４に覆われるプリンター本体１１を有している。このプリンター本体１１は、下本体部１１Ａと、この下本体部１１Ａの後端部に軸１１Ｃで支持される上本体部（図示略）とを備え、下本体部１１Ａは、上部ケース１３及び下部ケース１４（図１）に収納されると共に、上本体部は、上部カバー１２（図１）に固定されている。この上部カバー１２を開いたときに、上本体部が軸１１Ｃを中心に回動し、プリンター本体１１内部が露出することとなる。
【００１４】
図２及び図３に示すように、プリンター本体１１は、ベースフレーム１６、右サイドフレーム１７Ａ及び左サイドフレーム１７Ｂを備えた本体フレームと、記録ヘッド１８及びキャリッジ１９を備えた記録機構部２０と、プラテン２１、第１駆動ローラー２２Ａ、第１従動ローラー２２Ｂ、第２駆動ローラー２３Ａ、第２従動ローラー２３Ｂ、第３駆動ローラー１２４Ａ、第３従動ローラー１２４Ｂ、前方媒体案内２４、後方媒体案内２５、媒体搬送モーター２６及び駆動輪列部２７を備えた媒体搬送機構１００と、記録媒体Ｓを整列させる整列板２８と、記録媒体Ｓに設けられたＭＩＣＲ情報ＭＳの読み取りを行う磁気ヘッド３４（請求項中の「磁気読取部」に対応）を備えた磁気データ読書部２９と、ＭＩＣＲ情報ＭＳの読み取りを含む磁気情報処理の実行時に、記録媒体Ｓの浮き上がりを抑制すべく、記録媒体Ｓ上から押える媒体押え部３０と、を有している。
【００１５】
ベースフレーム１６の略両端部には、右サイドフレーム１７Ａ及び左サイドフレーム１７Ｂが立設して固定される。これら両サイドフレーム１７Ａ、１７Ｂの間には、キャリッジガイド軸３１が架け渡されると共に、両サイドフレーム１７Ａ、１７Ｂ間に平坦面形状の前方媒体案内２４及び後方媒体案内２５が固定して設けられる。これらの前方媒体案内２４と後方媒体案内２５との間に、平面形状のプラテン２１が配置される。このプラテン２１の上方には、プラテン２１に対向するように記録ヘッド１８が配置されている。
【００１６】
キャリッジ１９は、キャリッジガイド軸３１に摺動自在に挿通され、当該キャリッジ１９を駆動するキャリッジ駆動モーター５６（図５）の正転又は逆転により、タイミングベルト（図示略）を介して駆動され、キャリッジガイド軸３１に案内されて往復移動される。キャリッジ１９の移動方向は、図中符号Ｘで示す方向、すなわち、キャリッジガイド軸３１の軸方向及びプラテン２１の長手方向と一致する主走査方向である。また、キャリッジ１９の移動（走査）範囲は、一対のサイドフレーム１７Ａ、１７Ｂの間である。なお、キャリッジ１９の主走査方向Ｘに直交する方向、すなわち図中符号Ｙで示す方向を、副走査方向とする。
キャリッジ１９に搭載される記録ヘッド１８は、キャリッジ１９と共に主走査方向に走行される間に、その先端面においてプラテン２１に対向するワイヤー突出部（図示略）から記録ワイヤーを突出させてインクリボンに打ち当て、このインクリボンのインクを、プラテン２１と記録ヘッド１８との間に搬送される記録媒体Ｓに付着させて、記録媒体Ｓに文字を含む画像を記録する。このインクリボンは、上記の本体フレーム又はキャリッジ１９に装着されるリボンカートリッジ（図示略）内に折り畳まれて収納され、キャリッジ１９の走査に伴って繰り出される。
【００１７】
プラテン２１は、キャリッジ１９の走行方向に延在して平面形状に形成され、その両端が、付勢ばね４１により記録ヘッド１８に向けて付勢されると共に、弾性支持されている。付勢ばね４１は圧縮コイルばねであり、この付勢ばね４１の付勢力により、記録ヘッド１８の記録動作時における記録ワイヤーの突出力が支持される。また、プラテン２１は、記録媒体Ｓの搬送中にこの記録媒体Ｓの厚さが変化した場合、又はプリンター本体１１に厚さの異なる記録媒体Ｓが搬入された場合に、付勢ばね４１の付勢力に抗して、記録ヘッド１８の先端により押圧されて記録ヘッド１８から離れる方向に移動する。これにより、記録媒体の厚さにかかわらず、記録ヘッド１８の先端と記録媒体Ｓの記録面との間のギャップが一定に確保される。
【００１８】
媒体搬送機構１００は、第１駆動ローラー２２Ａ、第１従動ローラー２２Ｂが、プラテン２１及び記録ヘッド１８に対してプリンター本体１１のフロント側に配置され、第２駆動ローラー２３Ａ、第２従動ローラー２３Ｂが、プラテン２１及び記録ヘッド１８に対してプリンター本体１１のリア側及び裏面スキャナー１１２（請求項中の「光学読取部」に対応）のフロント側に配置され、第３駆動ローラー１２４Ａ、第３従動ローラー１２４Ｂが、裏面スキャナー１１２のリア側に配置されて構成される。第１駆動ローラー２２Ａと第１従動ローラー２２Ｂとは、上下方向に配置されて対をなし、第２駆動ローラー２３Ａと第２従動ローラー２３Ｂとは、上下方向に配置されて対をなし、第３駆動ローラー１２４Ａと第３従動ローラー１２４Ｂとは、上下方向に配置されて対をなす。
第１駆動ローラー２２Ａ、第２駆動ローラー２３Ａ及び第３駆動ローラー１２４Ａは、媒体搬送モーター２６及び駆動輪列部２７によって回転駆動される駆動ローラーであり、第１従動ローラー２２Ｂ、第２従動ローラー２３Ｂ及び第３従動ローラー１２４Ｂは、それぞれ第１駆動ローラー２２Ａ、第２駆動ローラー２３Ａ、及び、第３駆動ローラー１２４Ａ側に所定の押圧力でばね４２Ａ、４２Ｂ、４２Ｃによりばね付勢されている従動ローラーである。これによって、第１駆動ローラー２２Ａと第１従動ローラー２２Ｂとが互いに反対方向に回転駆動され、第２駆動ローラー２３Ａと第２従動ローラー２３Ｂとが互いに反対方向に回転駆動され、第３駆動ローラー１２４Ａと第３従動ローラー１２４Ｂとが互いに反対方向に回転駆動される。
【００１９】
裏面スキャナー１１２は、第２駆動ローラー２３Ａと第３駆動ローラー１２４Ａの間に配置され、記録媒体Ｓの裏面に印刷されている情報を読み取る光学イメージセンサーである。表面スキャナー１１１は、裏面スキャナー１１２と対向する位置に配置され、記録媒体Ｓの表面に印刷されている情報を読み取る光学イメージセンサーである。なお、表面スキャナー１１１及び裏面スキャナー１１２は、例えば、蛍光管又はＬＥＤから出力される白色の可視光を記録媒体Ｓの読み取り領域に対して照射する照射部（図示略）と、主走査方向（Ｘ方向）に一列に配列された複数の受光センサー（図示略）と、受光センサーからの信号をゲートアレイ４５（図５）に所定の順序で出力する出力部（図示略）と、を備えて構成される。
【００２０】
駆動輪列部２７は、右サイドフレーム１７Ａの外側に配置される。この駆動輪列部２７は、正転又は逆転可能な媒体搬送モーター２６の駆動軸に回転一体に固定されたモーターピニオン５１を備える。このモーターピニオン５１からの駆動力が、減速ギア５２を介して第２駆動ローラー２３Ａの第２ローラー軸３３に取り付けられた第２駆動ギア５３Ｂへ伝達され、更に、この第２駆動ギア５３Ｂから中間ギア５４を介して第１駆動ローラー２２Ａの第１ローラー軸３２に取り付けられた第１駆動ギア５３Ａに伝達される。また、第２駆動ローラー２３Ａの第２ローラー軸３３の回転力が、例えば、駆動ベルト（図示略）によって第３駆動ローラー１２４Ａの第３ローラー軸１３４に伝達される。これにより、図３に示す第１駆動ローラー２２Ａ、第２駆動ローラー２３Ａ、及び、第３駆動ローラー１２４Ａが同一方向に回転して、記録媒体Ｓをプリンター本体１１内に搬送可能とする。つまり、図３に示す第１駆動ローラー２２Ａ、第２駆動ローラー２３Ａ、及び、第３駆動ローラー１２４Ａは、媒体搬送モーター２６が正転している場合、副走査方向に沿って、図中符号Ａで示すようにプリンター本体１１内に記録媒体Ｓを搬送し、媒体搬送モーター２６が逆転している場合、図中符号Ｂで示すように、プリンター本体１１内から排出する方向に記録媒体Ｓを搬送する。
また、第１駆動ローラー２２Ａのフロント側には、記録媒体Ｓの搬送経路における記録媒体Ｓの有無を検出する媒体端センサー４７が設置されている。媒体端センサー４７は、上記搬送経路に向けて光を発する光源と、その反射光を検出する受光部とを備えた反射型光センサー、或いは、上記搬送経路を挟んで対向するように光源と受光部とを配した透過型光センサーである。媒体端センサー４７は、手差口１５からの記録媒体Ｓの挿入、及び、プリンター本体１１内からの記録媒体Ｓの排出完了を検出するためのセンサーである。
媒体幅センサー５５は、キャリッジ１９に搭載され、キャリッジ１９と共に、プラテン２１上を走査される。従って、キャリッジ１９の走査時に媒体幅センサー５５よって記録媒体Ｓを検出し、その検出位置とキャリッジ１９の走査位置とを対応付けることにより、記録媒体Ｓの位置を求めることができる。
【００２１】
図４は、磁気データ読書部２９の構成を示す斜視図である。磁気データ読書部２９は、プリンター本体１１の長手方向（図中矢印Ｘ方向）に平行に渡された２本の磁気ヘッドガイド軸６０、６１と、これら磁気ヘッドガイド軸６０、６１に支持されて、上記長手方向に往復移動する磁気ヘッドユニット６２と、磁気ヘッドユニット６２に一部が固定された磁気ヘッド駆動ベルト６３と、磁気ヘッドユニット６２を往復移動すべく磁気ヘッド駆動ベルト６３を回転駆動する磁気ヘッド駆動モーター６４とを備える。磁気ヘッドユニット６２は、磁気ヘッド駆動ベルト６３に駆動されることにより記録媒体ＳのＭＩＣＲ情報ＭＳを走査する磁気ヘッド３４を備える。この磁気ヘッド３４はＭＩＣＲ情報ＭＳを走査することにより当該ＭＩＣＲ情報ＭＳに記録された文字情報を読み取る磁気情報処理を行う。本実施形態では、磁気ヘッド３４は、プリンター本体１１の手差口１５側に設けられており、記録媒体Ｓの搬送方向に対して記録ヘッド１８と直列に配置されるようになっている。
【００２２】
図５は、ドットインパクトプリンター１０の機能的構成を示すブロック図である。
ドットインパクトプリンター１０は、制御プログラムに基づいてドットインパクトプリンター１０の全体を制御するＣＰＵ４０と、ＣＰＵ４０により実行される制御プラグラムや処理されるデータ等を記憶したＥＥＰＲＯＭ４２と、ＣＰＵ４０によりＥＥＰＲＯＭ４２から読み出された制御プログラムやデータ等を一時的に記憶するＲＡＭ４１と、ドットインパクトプリンター１０を制御するホストコンピューター２００との間で情報を送受信する際のデータ形式を変換するインターフェース（Ｉ／Ｆ）４３を備えている。
ＣＰＵ４０には、ゲートアレイ（Ｇ／Ａ）４５を介して、記録ヘッド１８及び磁気ヘッド３４が接続されている。ゲートアレイ４５は、ＣＰＵ４０の制御に従って記録ヘッド１８に駆動電流を出力して、記録ワイヤーを突出させる。また、ゲートアレイ４５は、ＣＰＵ４０の制御に従って、磁気情報の読み取り時には、磁気ヘッド３４に対して読み取り用電流を出力する一方、磁気ヘッド３４から入力される信号電流をデジタル化してＣＰＵ４０に出力する。
【００２３】
また、ゲートアレイ４５には、媒体端センサー４７、媒体幅センサー５５、表面スキャナー１１１、及び、裏面スキャナー１１２が接続されている。媒体端センサー４７は、上述したように第１駆動ローラー２２Ａ（図３）のフロント側に設置され、記録媒体Ｓの先端または後端を検出するセンサーである。また、媒体幅センサー５５は、キャリッジ１９に搭載され、記録ヘッド１８のワイヤー突出面（図示略）と並んでプラテン２１に対向して配置される。より詳細には、媒体幅センサー５５は、プラテン２１に向けて光を発する光源と、この光源からの光が反射した反射光を受光する受光部とを備えた反射型光センサーであり、キャリッジ１９とプラテン２１との間における記録媒体Ｓの有無を検出する。これら媒体端センサー４７及び媒体幅センサー５５は、ゲートアレイ４５から入力される駆動電流により動作して、検出値に相当するアナログ電圧をゲートアレイ４５に出力する。ゲートアレイ４５は、媒体端センサー４７及び媒体幅センサー５５から入力されるアナログ電圧を量子化してデジタルデータとし、ＣＰＵ４０に出力する。
【００２４】
表面スキャナー１１１は、記録媒体Ｓの表面（ＭＩＣＲ情報が印刷されている面の反対側の面）に印刷された情報を読み取りゲートアレイ４５に供給する。裏面スキャナー１１２は、記録媒体Ｓの裏面（ＭＩＣＲ情報が印刷されている面）に印刷された情報を読み取りゲートアレイ４５に供給する。ゲートアレイ４５は、表面スキャナー１１１及び裏面スキャナー１１２から供給されたアナログ電圧を量子化してデジタルデータとしＣＰＵ４０に出力する。
【００２５】
さらに、ゲートアレイ４５には、モータードライバー４８が接続されている。モータードライバー４８は、媒体搬送モーター２６、キャリッジ駆動モーター５６及び磁気ヘッド駆動モーター６４に接続され、これら各モーターに駆動電流や駆動パルスを供給して、これらのモーターを動作させる。なお、モータードライバー４８には、整列板２８（図３）を動作させる整列板モーター（図示略）等が接続されていてもよい。
【００２６】
ＣＰＵ４０は、ＥＥＰＲＯＭ４２に格納された制御プログラムに基づいて、ゲートアレイ４５を介して記録ヘッド１８やモータードライバー４８を制御すると共に、媒体端センサー４７及び媒体幅センサー５５の検出結果を取得する。そして、ＣＰＵ４０は、媒体搬送モーター２６を駆動して記録媒体Ｓを符号Ｙで示す副走査方向に搬送させ、キャリッジ駆動モーター５６を駆動してキャリッジ１９を符号Ｘで示す主走査方向に走査させ、さらに、磁気ヘッド駆動モーター６４を駆動して磁気ヘッドユニット６２を符号Ｘで示す主走査方向に走査させる。また、ＣＰＵ４０は、ゲートアレイ４５を制御して、記録ヘッド１８を駆動して記録ワイヤーを突出させ、或いは、磁気ヘッド３４による磁気情報処理を行わせる。
【００２７】
次に、ドットインパクトプリンター１０の動作の概略を説明する。
小切手としての記録媒体Ｓが図１に示す手差口１５から挿入されると、この記録媒体Ｓは、第１駆動ローラー２２Ａ及び第１従動ローラー２２Ｂにより挟まれてプラテン２１の手前まで矢印Ａ方向に搬送される。
このとき記録媒体Ｓの搬送方向の傾き（スキュー）を直すべく、記録媒体Ｓの搬送経路Ｐ内に整列板２８が突出し、この整列板２８に記録媒体Ｓが当接した状態で、さらに搬送されることにより、記録媒体Ｓの傾きが補正されて整列される。
次いで、整列板２８が搬送経路Ｐから退避し、記録媒体Ｓは、媒体幅センサー５５によって幅の検出が可能な範囲まで搬送され、キャリッジ１９が主走査方向に移動されると共に、媒体幅センサー５５によって記録媒体Ｓの位置が検出される。続いて、記録媒体Ｓは、ＭＩＣＲ情報ＭＳが磁気データ読書部２９で読み取り可能な位置まで搬送される。その後、磁気データ読書部２９の磁気ヘッド駆動モーター６４が駆動され、磁気ヘッドユニット６２が上記磁気ヘッドガイド軸６０、６１に支持されて符号Ｘで示す主走査方向に移動することにより、この磁気ヘッドユニット６２の磁気ヘッド３４が、記録媒体ＳのＭＩＣＲ情報ＭＳに対して磁気的な情報の読み取りを行う。なお、このとき、媒体幅センサー５５によって検出された記録媒体Ｓの位置が参照され、適切な範囲が走査される。磁気ヘッド３４によって読み取られた情報は、ゲートアレイ４５によってデジタル化され、ＣＰＵ４０に出力される。ＣＰＵ４０は、ゲートアレイ４５から供給されたデータに基づいて、文字情報を解析し、テキスト情報に変換する。ＭＩＣＲ情報として記録されている文字情報を解析できた場合には、得られたテキスト情報をホストコンピューター２００に対して送信する。
【００２８】
次に、記録媒体Ｓを表面スキャナー１１１及び裏面スキャナー１１２の位置まで搬送させる。そして、記録媒体Ｓの裏面と表面を光学的にスキャンし、得られた情報をゲートアレイ４５においてデジタルデータとしての画像データに変換し、ＣＰＵ４０に供給する。なお、このとき、媒体幅センサー５５の検出結果に基づいて、スキャンする範囲が決定される。ＣＰＵ４０は、供給された裏面と表面の画像データをホストコンピューター２００に対して送信する。ホストコンピューター２００では、送信された画像データを、受入銀行から支払銀行に伝送することによって決済を行う。ところで、ＭＩＣＲ情報として記録されている文字情報の一部（または全部）を解析できなかった場合には、ＣＰＵ４０は、裏面スキャナー１１２から得られた画像データに基づいて、文字認識処理を実行し、ＭＩＣＲ情報を構成する文字列を対応するテキストデータに変換する。そして、前述した磁気ヘッド３４による認識処理において解析することができなかった文字の解析に成功した場合には、解析に成功した文字を解析できなかった文字の代わりとして付加し、得られたテキストデータをホストコンピューター２００に対して送信する。
【００２９】
表面スキャナー１１１及び裏面スキャナー１１２によるスキャン処理が終了すると、記録媒体Ｓはプラテン２１上の記録位置まで搬送される。そして、磁気データ読書部２９で読み取られた磁気情報に基づいて、記録ヘッド１８及びキャリッジ１９が上記主走査方向に移動する間に、記録媒体Ｓの記録面に、例えば、当該小切手が使用済みであることを示す情報を記録する。
この記録ヘッド１８による記録動作は、記録ヘッド１８が主走査方向を左向き又は右向きに走行される間に、記録ヘッド１８の記録ワイヤーにより１行分の記録がなされ、この１行分の記録がなされる度に、上記各ローラー２２Ａ、２２Ｂ、２３Ａ及び２３Ｂが記録媒体Ｓを矢印Ａ方向に所定長（例えば通常行間分）搬送させ、これらの動作が繰り返されることにより実施される。
最後に、第１駆動ローラー２２Ａ及び第１従動ローラー２２Ｂによって記録媒体Ｓが矢印Ｂ方向に搬送され、記録媒体Ｓが手差口１５から排出される。
【００３０】
図６は、ドットインパクトプリンター１０に記録媒体Ｓとして小切手が挿入された場合に実行される処理について説明するフローチャートである。ドットインパクトプリンター１０が備えるＣＰＵ４０は、まず、記録媒体Ｓが手差口１５に挿入され、媒体端センサー４７によって記録媒体Ｓの先端が検出されると（ステップＳ１０；Ｙｅｓ）、整列板２８を記録媒体Ｓの搬送経路Ｐ内に突出させると共に、媒体搬送モーター２６を動作させて整列処理を実行する（ステップＳ１１）。これにより、記録媒体Ｓの搬送方向の傾き（スキュー）が補正されて整列されると共に、記録媒体Ｓの先端の位置合わせが実行される。
【００３１】
次いで、ＣＰＵ４０は、検出した記録媒体Ｓが小切手であるか、或いは通帳であるかを判別する（ステップＳ１２）。ここで、ＣＰＵ４０は、ホストコンピューター２００から送信される情報を取得し、この情報に基づいて記録媒体Ｓの種類を判別してもよいし、或いは、媒体端センサー４７や媒体幅センサー５５を用いて記録媒体Ｓの先端や側端の位置を検出し、この位置やサイズに基づいて記録媒体Ｓの種類を判別してもよい。或いは、媒体端センサー４７や媒体幅センサー５５を用いて検出した記録媒体Ｓの先端や側端の位置に基づき、磁気ヘッド３４によりＭＩＣＲ情報ＭＳの読み取りを試行し、この読み取りの試行によりＭＩＣＲ情報ＭＳが所定位置に有るか否かを判定することで、記録媒体Ｓの種類を判別してもよい。本実施形態では、ＣＰＵ４０は、ホストコンピューター２００から、記録媒体Ｓの種類（小切手又は通帳）を特定するための情報と、記録媒体Ｓが小切手である場合には、例えば、小切手のサイズに関する情報と、ＭＩＣＲ情報ＭＳが記録された位置に関する情報と、搬送距離に関する情報を取得し、これらの情報に基づいて小切手か通帳かを判別する。
【００３２】
ここで、記録媒体Ｓが小切手である場合（ステップＳ１２；Ｙｅｓ）、ＣＰＵ４０は、ホストコンピューター２００から、ＭＩＣＲ情報の読み取り命令を受信したか否かを判定する（ステップＳ１３）。そして、ＣＰＵ４０は、ＭＩＣＲ情報の読み取り命令を受信したと判定した場合（ステップＳ１３；Ｙｅｓ）にはステップＳ１４に進む。
ここで、ＣＰＵ４０は、ホストコンピューター２００から、読み取ろうとする記録媒体Ｓの種類（小切手又は通帳）を特定するための情報等をステップＳ１２で取得する際に、合わせて、ＭＩＣＲ情報の読み取り命令を受信してもよい。具体的な例を挙げて説明すると、例えば、図７に示すように、ＭＩＣＲ情報ＭＳの記録媒体Ｓにおける４辺からのオフセット距離ｄｘ１，ｄｘ２，ｄｙ１，ｄｙ２に関する情報と、整列板２８による整列位置から、ＭＩＣＲ情報ＭＳが磁気データ読書部２９で読み取り可能な位置に到達するまでの搬送距離Ｙ１に関する情報と、記録媒体Ｓの先端が表面スキャナー１１１及び裏面スキャナー１１２に到達するまでの搬送距離Ｙ２に関する情報と、記録媒体Ｓの後端が表面スキャナー１１１及び裏面スキャナー１１２に到達するまでの搬送距離Ｙ３に関する情報とを受信する。なお、ホストコンピューター２００から取得する情報は上記の例に限らず、これら以外の情報を取得してもよいし、他の情報を上記の情報に代えて取得してもよい。
【００３３】
そして、ＣＰＵ４０は、整列板２８を搬送経路Ｐから退避させると共に、少なくとも記録媒体Ｓの先端が媒体幅センサー５５の直下に達するまで記録媒体Ｓを媒体搬送機構１００により搬送させた後、キャリッジ駆動モーター５６（図５）を駆動してキャリッジ１９を主走査方向に走査し、媒体幅センサー５５からの出力信号及びキャリッジ１９の主走査方向の位置に基づいて記録媒体Ｓの幅方向の位置を検出する（ステップＳ１４）。より具体的には、記録媒体ＳのＹ方向については、ステップＳ１１の整列処理によってその先端の位置合わせが行われるが、Ｘ方向については位置合わせが行われておらず（記録媒体Ｓを手差口１５のどこに挿入してもよいため）、その位置が不明であることから、ステップＳ１３の処理によってＸ方向についての紙端位置Ｘ１，Ｘ２（図７参照）が検出される。このようにして検出された紙端位置Ｘ１，Ｘ２は、ＲＡＭ４１に格納される。
さらに、ＣＰＵ４０は、記録媒体Ｓを媒体搬送機構１００により搬送させながら媒体端センサー４７の出力信号を監視し、記録媒体Ｓの後端位置を検出する（ステップＳ１５）。
【００３４】
次に、ＣＰＵ４０は、ホストコンピューター２００から受信した上記の情報Ｙ１（ＭＩＣＲ情報ＭＳが磁気データ読書部２９で読み取り可能な位置に到達するまでの搬送距離）に基づいて、記録媒体Ｓを媒体搬送機構１００により搬送する（ステップＳ１６）。
この結果、記録媒体ＳのＭＩＣＲ情報ＭＳが磁気データ読書部２９で読み取り可能な位置まで搬送される（ステップＳ１４）。その後、ＣＰＵ４０は、ステップＳ１３で検出した紙端位置Ｘ１，Ｘ２と、ステップＳ１２で受信したオフセット距離ｄｘ１，ｄｘ２に基づいて、スキャン範囲（Ｘ１＋ｄｘ１）〜（Ｘ２−ｄｘ２）を計算する。
なお、実際にスキャンする範囲としては、誤差の影響等を考慮してマージンＤを持たせるため、前述したスキャン範囲よりも広い範囲（（Ｘ１＋ｄｘ１−Ｄ）〜（Ｘ２−ｄｘ２＋Ｄ））（ただし、Ｄ＜ｄｘ１，ｄｘ２）を設定してもよい。
【００３５】
ＣＰＵ４０は、磁気データ読書部２９の磁気ヘッド駆動モーター６４を駆動し、磁気ヘッドユニット６２が上記磁気ヘッドガイド軸６０、６１に支持されて符号Ｘで示す主走査方向の当該スキャン範囲内を移動させて（ステップＳ１７）、この磁気ヘッドユニット６２の磁気ヘッド３４により、記録媒体ＳのＭＩＣＲ情報ＭＳに対する磁気情報処理の読み取りを実行させる（ステップＳ１８）。このとき、ＣＰＵ４０は、ＭＩＣＲ情報ＭＳの主走査方向における存在位置を、磁気ヘッド３４からの出力信号と、磁気ヘッド３４の主走査方向の位置に基づいて検出し、実測値に基づくオフセット距離としてのｄｘ１’，ｄｘ２’を求める。なお、オフセット距離としてのｄｘ１’，ｄｘ２’を求めるのではなく、ＭＩＣＲ情報ＭＳの存在位置を直接求めるようにしてもよい。なお、求められたオフセット距離ｄｘ１’，ｄｘ２’は、ＲＡＭ４１に格納される。一方、磁気ヘッド３４によって読み取られた情報（ＭＩＣＲ情報）は、ゲートアレイ４５によってデジタル化され、ＣＰＵ４０に出力される。ＣＰＵ４０は、ゲートアレイ４５から供給されたデータに基づいて、文字情報を解析し、テキスト情報に変換する（ステップＳ１９）。
【００３６】
ＣＰＵ４０は、ステップＳ１９におけるＭＩＣＲ情報ＭＳの解析処理において、解析不能な文字が存在したか否かを判別する（ステップＳ２０）。ここで、解析不能な文字が存在した場合（ステップＳ２０；Ｙｅｓ）にはステップＳ２１に進み、それ以外の場合（ステップＳ２０；Ｎｏ）にはステップＳ２６に進む。例えば、ステップＳ１９における解析処理において得られた情報が、「０１？３４５６７８９」であり、第３番目の文字（この例では「？」とされている）が解析不能であった場合には、ステップＳ２０においてＹｅｓと判定され、ステップＳ２１に進む。
【００３７】
次に、ＣＰＵ４０は、ステップＳ１３において受信した、記録媒体Ｓの先端が表面スキャナー１１１及び裏面スキャナー１１２に到達するまでの搬送距離Ｙ２に関する情報に基づいて、記録媒体Ｓが表面スキャナー１１１及び裏面スキャナー１１２の読み取り可能な位置まで移動させる（ステップＳ２１）。
【００３８】
そして、ＣＰＵ４０は、ＭＩＣＲ情報ＭＳの光学的な読み取りを実行し（ステップＳ２２）、ステップＳ２３に移行する。ステップＳ２２で、ＣＰＵ４０は、記録媒体Ｓを媒体搬送機構１００により副走査方向に搬送させながら、表面スキャナー１１１及び裏面スキャナー１１２によって、記録媒体Ｓの裏面と、表面とを同時に読み取り、画像信号に変換しゲートアレイ４５に供給する。続いて、ＣＰＵ４０は、ステップＳ１２において受信した、記録媒体Ｓの後端が表面スキャナー１１１及び裏面スキャナー１１２に到達するまでの搬送距離Ｙ３に関する情報に基づいてスキャンを停止する。このとき、表面スキャナー１１１及び裏面スキャナー１１２によって記録媒体Ｓを読み取るＸ方向の範囲は、ステップＳ１３において検出された幅方向の位置Ｘ１，Ｘ２に基づいて決定する。すなわち、ゲートアレイ４５は、幅方向の位置に対応する範囲の受光部から出力される信号のみを取得すると共に、搬送距離Ｙ２〜Ｙ３で指定される期間だけ、受光部から出力される信号を取得する。なお、搬送距離Ｙ３については、媒体端センサー４７によって検出される記録媒体Ｓの先端及び後端から求められる値に基づいて求めるようにしてもよい。すなわち、媒体端センサー４７によって検出される記録媒体Ｓの先端及び後端の搬送距離の差分値を求め、当該差分値をＹ２に加算することによりＹ３を求めるようにしてもよい。
ゲートアレイ４５は、画像信号を量子化してデジタルデータとしての画像データに変換し、ＣＰＵ４０に供給する。ＣＰＵ４０は、得られた画像データを、ＲＡＭ４１に格納する。なお、このようにして格納された小切手の画像データは、後述するステップＳ２６において、Ｉ／Ｆ４３を介してホストコンピューター２００に転送される。ホストコンピューター２００では、転送された情報を、受入銀行から支払銀行に伝送することによって決済を行う。すなわち、現物の小切手を輸送して処理する代わりに、小切手の券面の情報を画像データに変換して、受入銀行から支払銀行のホストコンピューターに伝送することにより、電子的な決済が実行される。
【００３９】
ステップＳ２３では、ＣＰＵ４０は、ステップＳ２２において、裏面スキャナー１１２によって読み取られた画像データに基づいて、文字の解析処理を実行する。具体的には、ＣＰＵ４０は、ステップＳ１５の処理において取得された、実測されたオフセット距離としてのｄｘ１’，ｄｘ２’と、ステップＳ１３で受信したｄｙ１，ｄｙ２に基づいて、画像データからＭＩＣＲ情報ＭＳが含まれる領域を特定し、当該領域に含まれる画像データを抽出し、抽出された画像データに対して解析処理を実行する。なお、当該解析処理は、ＯＣＲ処理として一般的に知られている処理を用いることができる。このような処理により、先ほどの例では、解析結果として、例えば、「０１２３４５６７８？」を得る。なお、この例では、最後の文字（この例では「？」とされている）は解析に失敗している。
【００４０】
次に、ＣＰＵ４０は、ステップＳ１９で解析不能であった文字の解析に成功したか否かを判定し（ステップＳ２４）、成功した場合（ステップＳ２４；Ｙｅｓ）にはステップＳ２５に進み、それ以外の場合（ステップＳ２４；Ｎｏ）にはステップＳ２９に進む。
先ほどの例では、ステップＳ１９における解析処理において、解析不能であった文字（第３番目の文字「２」）の解析に成功しているので、ステップＳ２５に進む。
ステップＳ２５では、ＣＰＵ４０は、ステップＳ１９とステップＳ２３における解析結果を統合する。すなわち、ＣＰＵ４０は、ステップＳ１９における解析結果によって得られた「０１？３４５６７８９」と、ステップＳ２３における解析結果によって得られた「０１２３４５６７８？」とを統合することによって「０１２３４５６７８９」を得る。
一方、ステップＳ２４において、解析不能文字の解析に失敗したと判定した場合には、ステップＳ２９に進み、ＣＰＵ４０は、ホストコンピューター２００に対してエラーが発生したことを通知し、処理を終了する。
【００４１】
次に、ＣＰＵ４０は、解析処理によって得られたＭＩＣＲ情報ＭＳをＩ／Ｆ４３を介してホストコンピューター２００に送信すると共に、ステップＳ２２の読み取り処理によって読み取られてＲＡＭ４１に格納されている記録媒体Ｓの両面の画像データをＩ／Ｆ４３を介してホストコンピューター２００に送信する（ステップＳ２６）。
【００４２】
ここで、ＣＰＵ４０は、ホストコンピューター２００から裏書き印刷の実行命令を受信するまで待機し（ステップＳ２７）、裏書き印刷の実行命令を受信した場合は、媒体搬送モーター２６を逆転させ、記録媒体Ｓを記録ヘッド１８の下まで搬送すると共に、キャリッジ駆動モーター５６及び記録ヘッド１８を駆動し、記録媒体Ｓの裏面に処理済みを示す裏書き印刷を行う（ステップＳ２８）。そして、裏書き印刷が完了すると、ＣＰＵ４０は、媒体搬送モーター２６を更に回転させ、記録媒体Ｓを手差口１５から排出する。
このとき、記録媒体Ｓを排出させずに、再度、表面スキャナー１１１及び裏面スキャナー１１２によって、記録媒体Ｓの表裏両面の全面をスキャンし、処理済みとなった小切手の券面の画像データを生成して、この画像データを受入銀行から支払銀行のホストコンピューターに伝送することにより、最終処理画像による電子的な決済が実行されるようにしてもよい。この場合、小切手が処理済みとなったことを示すデータとして画像データを利用することで、決済の信頼性及び正当性が担保される。
【００４３】
なお、以上の説明は、記録媒体Ｓとして小切手が挿入された場合について説明したが、記録媒体Ｓとして通帳が挿入された場合には、次のような処理が実行される。すなわち、ステップＳ１２において、検出した記録媒体Ｓが通帳である（小切手でない）と判別した場合、ＣＰＵ４０は、ホストコンピューター２００から通帳に関する処理を実施するように命令がなされることに対応して、搬送経路Ｐ内に整列板２８によって通帳の傾きを補正した後、記録媒体Ｓを媒体搬送機構１００により搬送させ、磁気データ読書部２９の磁気ヘッド駆動モーター６４を駆動し、磁気ヘッド３４によって、記録媒体Ｓの磁気ストライプに対する情報の磁気的な読み取り、及び／又は書き込みを実行する（ステップＳ３１）。さらにＣＰＵ４０は、通帳である記録媒体Ｓの記録面に、記録ヘッド１８によって文字を含む画像を記録し（ステップＳ３２）、媒体搬送機構１００によって記録媒体Ｓを手差口１５から排出して（ステップＳ３３）、本処理を終了する。
【００４４】
以上のように、本発明を適用した実施形態によれば、記録媒体Ｓを搬送して画像を記録するドットインパクトプリンター１０において、記録媒体Ｓの搬送路Ｐに、磁気ヘッドユニット６２に搭載され、記録媒体Ｓに記録されたＭＩＣＲ情報を磁気的に読み取る磁気ヘッド３４と、磁気ヘッド３４とは異なる他のキャリッジに搭載され、記録媒体Ｓに画像を記録する記録ヘッド１８と、記録媒体Ｓに記録されたＭＩＣＲ情報を光学的に読み取る裏面スキャナー１１２と、が並べて配置され、ＣＰＵ４０により、磁気ヘッド３４によるＭＩＣＲ情報の読み取りに成功しなかった場合に、記録媒体Ｓを裏面スキャナー１１２まで搬送して裏面スキャナー１１２によってＭＩＣＲ情報の読み取りを行い、磁気ヘッド３４による読み取り結果と裏面スキャナー１１２による読み取り結果とを照合して、ＭＩＣＲ情報を識別する。これにより、ＭＩＣＲ情報の磁気的な読み取りに成功した場合は記録媒体Ｓを裏面スキャナー１１２まで搬送しないこととすれば、無駄な搬送動作を省き、異なる読み取り方法を組み合わせることでＭＩＣＲ情報の読み取りの精度を高めるとともに、処理速度の向上を図ることができる。
【００４５】
特に、ドットインパクトプリンター１０は、その前面に設けられた手差口１５から記録媒体Ｓが挿入され、内部で記録媒体Ｓを処理した後で、再び手差口１５から記録媒体Ｓを排出する。すなわち、ドットインパクトプリンター１０内で記録媒体Ｓの搬送方向を反転させ、往復させる構成である。このため、ＭＩＣＲ情報の磁気的な読み取りに成功した場合は記録媒体Ｓを裏面スキャナー１１２まで搬送しないこととすれば、記録媒体Ｓの搬送経路が大幅に短縮され、スループットの向上が期待できる。また、ＭＩＣＲ情報の磁気的な読み取りが成功しなかった場合は搬送経路を延長するだけで光学的な読み取りを行うことができるので、容易に高精度でＭＩＣＲ情報を読み取れる。さらに、ＣＰＵ４０によって媒体搬送機構１００を制御することにより、記録媒体Ｓを往復搬送することができ、ＭＩＣＲ情報の磁気的な読み取りの回数と、光学的な読み取りの回数とを任意に独立して設定できる。このため、磁気的及び光学的な読み取りの回数を適宜増やして、ＭＩＣＲ情報の読み取り精度のさらなる向上を図ることも可能である。
【００４６】
加えて、上記構成によれば、記録媒体Ｓの搬送路Ｐに、磁気ヘッドユニット６２に搭載された磁気ヘッド３４と、磁気ヘッド３４とは異なる他のキャリッジに搭載された記録ヘッド１８と、裏面スキャナー１１２と、が並べて配置されており、磁気ヘッド３４と記録ヘッド１８とは、各々独立して走査させることが可能なため、冊子形態の通帳や帳票形態の小切手など様々な形態の記録媒体Ｓに対して磁気的な読み取りと画像の記録を行うことができ、一つの装置により多様な記録媒体に対応可能な構成を実現できる。
【００４７】
さらに、表面スキャナー１１１及び裏面スキャナー１１２を用いてＭＩＣＲ情報を含む画像データを取り込むようにしたので、磁気ヘッド３４のキャリッジに対してスキャナーを取り付ける必要がないので、当該キャリッジのサイズが大きくならず、駆動機構の大型化を防止できる。
【００４８】
また、本発明を適用した実施形態によれば、媒体幅センサー５５による検出結果に基づいて、磁気ヘッド３４及び裏面スキャナー１１２の走査範囲を決定するようにしたので、記録媒体Ｓがどのような位置に配置された場合であっても、所望の領域を確実にスキャンすることができる。また、磁気ヘッド３４によって検出されたＭＩＣＲ情報ＭＳの位置に基づいて、裏面スキャナー１１２で読み込まれた画像データから、ＭＩＣＲ情報ＭＳが含まれている領域を抽出するようにしたので、抽出領域を確実に特定すると共に、領域を最小限化することで、解析処理に要する時間を短縮することができる。
【００４９】
また、本発明を適用した実施形態によれば、ホストコンピューター２００から供給された情報に基づいて、処理対象が小切手であるか、通帳であるかを特定するようにしたので、処理対象を確実に特定することができる。また、処理対象を特定するための情報と共に、各処理対象のサイズ及び制御量に関する情報を併せて送信することで、各処理対象に対する処理を確実に実行することができる。
【００５０】
以上、本発明の一実施形態について説明したが、本発明は、これに限定されるものでない。例えば、本実施形態では、磁気ヘッド３４による読み取り処理については、１回（１走査）のみ実行するようにしたが、例えば、副走査を行いながら、主走査を複数回行って、最も強度が高い（振幅が大きい）信号を用いて解析処理を実行するようにしてもよい。また、副走査を行わずに、同じ位置において主走査を行うと共に、それぞれの主走査においてゲートアレイ４５における信号の増幅率（ゲイン）を変更するようにしてもよい。
【００５１】
また、以上の実施形態では、裏面スキャナー１１２は、可視光帯域の光によるスキャンを前提として説明したが、例えば、赤外線によるスキャンを実行するようにしてもよい。磁気インクは、通常のインクに比較して、赤外線の吸収率が高いので、赤外線を用いることにより、磁気インクによって印刷された文字のみを取り込むことができる。これにより、ＭＩＣＲ情報ＭＳが存在する領域を特定する処理を簡単化することができることから、処理を高速に実行することができる。
【００５２】
また、以上の実施形態では、磁気ヘッド３４による読み取りを、表面スキャナー１１１及び裏面スキャナー１１２による読み取りに先行して実行するようにしたが、表面スキャナー１１１及び裏面スキャナー１１２による読み取りを、磁気ヘッド３４による読み取りに先行して行うようにしてもよい。その場合、ＯＣＲ処理の結果に基づいて、ＭＩＣＲ情報ＭＳが記録されている範囲を特定し、特定結果に基づいて磁気ヘッド３４による読み取りを実行するようにしてもよい。また、赤外線を用いてスキャンする場合には、ＭＩＣＲ情報ＭＳが記録されている範囲を簡易に特定することができるので、その結果に基づいて磁気ヘッド３４による読み取り範囲を行うことができる。
【００５３】
なお、媒体端センサー４７や媒体幅センサー５５の具体的構成は任意であるし、図５のブロック図における各機能ブロックは、ハードウェアとソフトウェアとの協働により実現されるものであって、具体的なハードウェアの実装形態やソフトウェアの仕様等は任意であり、その他の細部構成についても任意に変更可能である。
また、本発明はドットインパクト式のプリンターに限らず、インクジェット式のプリンターや、感熱媒体を加熱して画像を記録するサーマルプリンターにおいても適用可能である。さらに、ドットインパクトプリンター１０のように独立したプリンターとして使用される機器に限らず、他の機器（ＡＴＭ（Ａｕｔｏｍａｔｅｄ  Ｔｅｌｌｅｒ  Ｍａｃｈｉｎｅ）やＣＤ（Ｃａｓｈ  Ｄｉｓｐｅｎｓｅｒ）等）に組み込まれたものであってもよく、多様な機器に適用可能である。
【図面の簡単な説明】
【００５４】
【図１】実施形態におけるドットインパクトプリンターの外観斜視図である。
【図２】プリンター本体を示す斜視図である。
【図３】プリンター本体の側断面図である。
【図４】磁気データ読取部の構成を示す斜視図である。
【図５】ドットインパクトプリンターの機能的構成を示すブロック図である。
【図６】ドットインパクトプリンターの動作を示すフローチャートである。
【図７】小切手に印刷されているＭＩＣＲ情報の一例を示す図である。
【符号の説明】
【００５５】
１０…ドットインパクトプリンター（記録装置）、１１…プリンター本体、１８…記録ヘッド、１９…キャリッジ、２９…磁気データ読書部、３４…磁気ヘッド（磁気読取部）、４０…ＣＰＵ（制御部）、４５…ゲートアレイ、４７…媒体端センサー（検出手段）、５５…媒体幅センサー（検出手段）、６２…磁気ヘッドユニット（キャリッジ）、６３…磁気ヘッド駆動ベルト、６４…磁気ヘッド駆動モーター、１００…媒体搬送機構、１１１…表面スキャナー、１１２…裏面スキャナー（光学読取部）、２００…ホストコンピューター、ＭＳ…ＭＩＣＲ情報、Ｓ…記録媒体。
【図１】
2010188533.tif 000003
【図２】
2010188533.tif 000004
【図３】
2010188533.tif 000005
【図４】
2010188533.tif 000006
【図５】
2010188533.tif 000007
【図６】
2010188533.tif 000008
【図７】
2010188533.tif 000009